(57)【特許請求の範囲】
【請求項１】
移動局装置と基地局装置との間の上りの送信電力が制御される無線通信システムにおける移動局装置であって、
変更後の上り送信電力と上りの許容送信電力との差情報を基地局装置での予想受信品質を示す指標として算出する算出手段と、
前記差情報に応じた上りの変調方式および誤り訂正符号化方式を決定する決定手段と、
を具備する移動局装置。
【請求項２】
前記基地局装置の目標受信電力に当該基地局装置との間の伝搬路における減衰電力を示すパスロス値を加算した値を用いて前記上り送信電力を変更する送信電力制御手段を具備する請求項１に記載の移動局装置。
【請求項３】
移動局装置と基地局装置との間の上りの送信電力が制御される無線通信システムにおける基地局装置であって、
変更後の上り送信電力と上りの許容送信電力との差情報から求められる上りの予想受信品質を受信する受信手段と、
前記予想受信品質に応じた上りの変調方式および誤り訂正符号化方式を決定する決定手段と、
を具備する基地局装置。
【請求項４】
上り回線を伝送される信号の受信品質を測定する測定手段と、
前記測定手段によって測定された受信品質とあらかじめ設定された目標受信品質との差に基づいて予想受信品質補正値を算出する補正値算出手段と、
を具備し、
前記決定手段は、前記受信品質補正値により補正された後の予想受信品質に応じた上りの変調方式および誤り訂正符号化方式を決定する、
請求項３に記載の基地局装置。
【請求項５】
移動局装置と基地局装置との間の上りの送信電力が制御される無線通信システムにおける基地局装置であって、
変更後の上り送信電力と上りの許容送信電力との差情報から求められる上りの予想受信品質に基づいて決定された上りの変調方式および誤り訂正符号化方式を受信する受信手段と、
上り回線を伝送される信号の受信品質を測定する測定手段と、
測定された前記受信品質とあらかじめ設定された目標受信品質との差に基づいて予想受信品質補正値を算出する補正値算出手段と、
前記決定された上りの変調方式および誤り訂正符号化方式を前記受信品質補正値に基づいて補正する補正手段と、
を具備する基地局装置。
【請求項６】
移動局装置と基地局装置との間の上りの送信電力が制御される無線通信システムにおける基地局装置であって、
変更後の上り送信電力と上りの許容送信電力との差情報から求められる上りの予想受信品質に基づいて決定された上りの変調方式および誤り訂正符号化方式を受信する受信手段と、
前記決定された上りの変調方式および誤り訂正符号化方式を、前記上りの予想受信品質と上りの変調方式および誤り訂正符号化方式が変わる予想受信品質の境界値との差に基づいて補正する補正手段と、
を具備する基地局装置。
【請求項７】
移動局装置と基地局装置との間の上りの送信電力が制御される無線通信システムにおける無線通信方法であって、
変更後の上り送信電力と上りの許容送信電力との差情報を基地局装置での予想受信品質を示す指標として算出するステップと、
前記差情報に応じた上りの変調方式および誤り訂正符号化方式を決定するステップと、
を具備する無線通信方法。
【発明の詳細な説明】
【０００１】
【発明の属する技術分野】
本発明は、無線通信装置および無線通信方法に関し、特に、伝搬路の状態に応じて変調方式と誤り訂正符号化方式とを選択する無線通信装置および無線通信方法に関する。
【０００２】
【従来の技術】
従来、無線通信システムにおいては、伝搬路の状態が変動しても通信の精度を維持しつつ、伝送速度を可能な限り向上することを目的として、信号の変調方式および誤り訂正符号化方式（ＭＣＳ：Modulation Coding Scheme）が伝搬路状態に応じて適応的に選択されることがある。ＭＣＳは、特に基地局装置から移動局装置へ向かう下り回線の通信において選択され、この選択方法としては、大きく分けて以下に示す２つの方法がある。
【０００３】
第１の方法においては、まず、移動局装置は、基地局装置から送信される共通パイロットチャネルの信号を受信し、例えばＳＩＮＲ（Signal to Interference and Noise Ratio：信号対干渉・雑音電力比）やＳＩＲ（Signal to Interference Ratio：信号対干渉電力比）などの受信品質を測定する。測定された受信品質は、伝搬路の状態を示す指標となる。そして、受信品質ごとに対応するＭＣＳがあらかじめ保持されたテーブルから、測定された受信品質に対応するＭＣＳが選択される。このとき、テーブルには受信品質の値の範囲に対応してＭＣＳが保持されており、この範囲を規定するための境界値と実際に測定された受信品質の値との差が選択されたＭＣＳとともに基地局装置へ報告される。そして、基地局装置は、報告に基づいて最終的な判断を行い、最適なＭＣＳを決定する。
【０００４】
第２の方法においては、第１の方法と同様に、まず、移動局装置は、基地局装置から送信される共通パイロットチャネルの信号を受信し、例えばＳＩＮＲ（Signal to Interference and Noise Ratio：信号対干渉・雑音電力比）やＳＩＲ（Signal to Interference Ratio：信号対干渉電力比）などの受信品質を測定する。そして、移動局装置は、測定された受信品質を基地局装置へ報告する。基地局装置は、受信品質ごとに対応するＭＣＳがあらかじめ保持されたテーブルを用いて、報告された受信品質に対応するＭＣＳを選択する。
【０００５】
【発明が解決しようとする課題】
しかしながら、上記のＭＣＳ選択は、下り回線の通信に関して実行されるものであり、移動局装置から基地局装置へ向かう上り回線に関しては、移動局装置が送信電力制御を行っているため、基地局装置において測定される受信品質がほぼ一定となり、伝搬路の状態を示す指標とはならず、最適なＭＣＳの選択が困難であるという問題がある。
【０００６】
すなわち、例えば基地局装置と移動局装置の間の伝搬路の状態が図１８のように変動している場合、移動局装置は、図１９に示すように送信電力を制御し、基地局装置における受信電力、ひいては受信品質が一定になるように動作する。したがって、基地局装置における受信電力は、図２０に示すようにほぼ一定となる。換言すれば、基地局装置において測定される受信品質は常に良好であり、受信品質から伝搬路の状態を推定することができない。このため、伝搬路の状態に応じたＭＣＳを選択することは困難となる。
【０００７】
この問題を解決するためには、移動局装置がＭＣＳ選択用の信号を一定の送信電力で送信すれば良いが、電力消費量が増大するため、バッテリの容量が限られている携帯端末などの移動局装置に適用するのは現実的でない。
【０００８】
本発明は、かかる点に鑑みてなされたものであり、上り回線の通信において最適なＭＣＳを選択することができる無線通信装置および無線通信方法を提供することを目的とする。
【０００９】
【課題を解決するための手段】
本発明の無線通信装置は、無線通信における上り回線の伝搬路状態情報を取得する取得手段と、前記取得手段によって取得された伝搬路状態情報に応じた変調方式および誤り訂正符号化方式を決定する決定手段と、を有する構成を採る。
【００１０】
この構成によれば、上り回線の伝搬路状態情報を取得し、変調方式および誤り訂正符号化方式を決定するため、上り回線の通信において最適なＭＣＳを選択することができる。
【００１１】
本発明の無線通信装置は、前記取得手段は、上り回線を伝送される信号の送信電力を、当該送信電力の増加可能量を示す送信可能電力だけ増加させた場合の予想受信品質を取得し、前記決定手段は、予想受信品質に対応する変調方式および誤り訂正符号化方式を保持するテーブルを有し、前記取得手段によって取得された予想受信品質に対応する変調方式および誤り訂正符号化方式を前記テーブルから決定する構成を採る。
【００１２】
この構成によれば、上り回線を伝送される信号の送信電力を送信可能電力だけ増加させた場合の予想受信品質に対応する変調方式および誤り訂正符号化方式をテーブルから決定するため、上り回線の伝搬路の状態に応じた最適なＭＣＳを選択することができる。
【００１３】
本発明の無線通信装置は、前記取得手段は、上り回線を伝送される信号の送信電力の増加可能量を示す送信可能電力を算出する算出手段と、信号の送信電力を前記算出手段によって算出された送信可能電力だけ増加させた場合の予想受信品質を推定する推定手段と、を有する構成を採る。
【００１４】
この構成によれば、上り回線の信号の送信電力の送信可能電力を算出し、送信電力を送信可能電力だけ増加させた場合の予想受信品質を推定するため、上り回線における伝搬路状態を示す予想受信品質を正しく推定することができ、送信電力制御を行う移動局装置において、上り回線の通信における最適なＭＣＳを選択することができる。
【００１５】
本発明の無線通信装置は、前記取得手段は、通信相手によって推定される予想受信品質であって、前記通信相手が信号の送信電力を当該送信電力の増加可能量を示す送信可能電力だけ増加させた場合の予想受信品質を含む情報を受信する受信手段、を有する構成を採る。
【００１６】
この構成によれば、通信相手が送信電力を送信可能電力だけ増加させた場合の予想受信品質を含む情報を受信するため、基地局装置において、上り回線の通信における最適なＭＣＳを選択することができる。
【００１７】
本発明の無線通信装置は、上り回線を伝送される信号の受信品質を測定する測定手段、をさらに有し、前記決定手段は、前記予想受信品質に対応して決定された変調方式および誤り訂正符号化方式を、前記測定手段によって測定された受信品質とあらかじめ設定された目標受信品質との差に基づいて補正する構成を採る。
【００１８】
この構成によれば、上り回線を伝送される信号の受信品質を測定し、測定された受信品質を目標受信品質との差に基づいて、決定された変調方式および誤り訂正符号化方式を補正するため、送信電力制御を行うにもかかわらず受信品質が目標受信品質と大きく異なる場合でも最適なＭＣＳを選択することができ、上り回線の通信において最適なＭＣＳをさらに確実に選択することができる。
【００１９】
本発明の無線通信装置は、前記決定手段は、前記予想受信品質に対応して決定された変調方式および誤り訂正符号化方式を、前記テーブルにおける予想受信品質の境界値と前記取得手段によって取得された予想受信品質との差に基づいて補正する構成を採る。
【００２０】
この構成によれば、テーブルにおける予想受信品質の境界値と取得された予想受信品質との差に基づいて、決定された変調方式および誤り訂正符号化方式を補正するため、よりきめの細かいＭＣＳの選択を行うことができ、上り回線の通信において最適なＭＣＳをさらに確実に選択することができる。
【００２１】
本発明の無線通信装置は、前記算出手段は、通信相手から送信される送信電力制御コマンドによって制御されて得られる送信電力に関する送信可能電力を算出する構成を採る。
【００２２】
この構成によれば、通信相手から送信される送信電力制御コマンドによって制御されて得られる送信電力に関する送信可能電力を算出するため、クローズドループ型の送信電力制御が行われる無線通信システムにおいて、上り回線の通信における最適なＭＣＳを選択することができる。
【００２３】
本発明の無線通信装置は、前記算出手段は、通信相手における既知の目標受信電力と伝搬路における減衰電力を示すパスロスとを加算して得られる送信電力に関する送信可能電力を算出する構成を採る。
【００２４】
この構成によれば、通信相手における既知の目標受信電力と伝搬路における減衰電力を示すパスロスとを加算して得られる送信電力に関する送信可能電力を算出するため、オープンループ型の送信電力制御が行われる無線通信システムにおいて、上り回線の通信における最適なＭＣＳを選択することができる。
【００２５】
本発明の移動局装置は、上記のいずれかに記載の無線通信装置を有する構成を採る。
【００２６】
この構成によれば、上記のいずれかに記載の無線通信装置と同様の作用効果を、移動局装置において実現することができる。
【００２７】
本発明の基地局装置は、上記のいずれかに記載の無線通信装置を有する構成を採る。
【００２８】
この構成によれば、上記のいずれかに記載の無線通信装置と同様の作用効果を、基地局装置において実現することができる。
【００２９】
本発明の無線通信方法は、無線通信における上り回線の伝搬路状態情報を取得するステップと、取得した伝搬路状態情報に応じた変調方式および誤り訂正符号化方式を決定するステップと、を有するようにした。
【００３０】
この方法によれば、上り回線の伝搬路状態情報を取得し、変調方式および誤り訂正符号化方式を決定するため、上り回線の通信において最適なＭＣＳを選択することができる。
【００３１】
本発明の無線通信方法は、上り回線を伝送される信号の送信電力を、当該送信電力の増加可能量を示す送信可能電力だけ増加させた場合の予想受信品質を取得するステップと、取得した予想受信品質に対応する変調方式および誤り訂正符号化方式を、予想受信品質に対応する変調方式および誤り訂正符号化方式を保持するテーブルから決定するステップと、を有するようにした。
【００３２】
この方法によれば、上り回線を伝送される信号の送信電力を送信可能電力だけ増加させた場合の予想受信品質に対応する変調方式および誤り訂正符号化方式をテーブルから決定するため、上り回線の伝搬路の状態に応じた最適なＭＣＳを選択することができる。
【００３３】
【発明の実施の形態】
本発明者は、基地局装置において測定された上り回線の受信品質に応じた実際の送信電力と移動局装置が送信できる最大の送信電力との差（以下、「送信可能電力」という）に着目し、移動局装置が送信電力制御を行う場合、この送信可能電力が上り回線の伝搬路の状態を示す指標となることを見出し、本発明をするに至った。すなわち本発明の骨子は、移動局装置の送信電力を送信可能電力分上げた場合の基地局装置における予想受信品質を推定し、推定された予想受信品質から最適なＭＣＳ（Modulation Coding Scheme）を選択することである。
【００３４】
以下、本発明の実施の形態について、図面を参照しながら詳細に説明する。
【００３５】
（実施の形態１）
本発明の実施の形態１の特徴は、クローズドループ型の送信電力制御を行う移動局装置を有する無線通信システムにおいて、移動局装置が上り回線において最適なＭＣＳを選択する点である。
【００３６】
図１は、実施の形態１に係る基地局装置１００の構成を示すブロック図である。同図に示す基地局装置１００は、無線受信部１０２、ＳＩＲ測定部１０４、ＴＰＣ（Transmission Power Control：送信電力制御）コマンド生成部１０６、分離部１０８、復調部１１０、復調部１１２、復号部１１４、多重部１１６、変調部１１８、および無線送信部１２０から構成されている。なお、図１に示す基地局装置１００は、後述する移動局装置２００と無線通信を行う。
【００３７】
無線受信部１０２は、アンテナを介して信号を受信し、所定の無線処理（ダウンコンバート、Ａ／Ｄ変換など）を行う。ＳＩＲ測定部１０４は、受信信号の受信品質であるＳＩＲ（Signal to Interference Ratio）を測定する。ＴＰＣコマンド生成部１０６は、受信信号の受信品質と目標受信品質を比較し、送信電力制御のためのＴＰＣコマンドを生成する。分離部１０８は、無線受信部１０２によって受信される受信信号を、データを含むデータ信号と後述する移動局装置２００によって選択されたＭＣＳ（Modulation Coding Scheme）を報知するためのＭＣＳ報知信号とに分離する。復調部１１０は、ＭＣＳ報知信号を復調し、選択されたＭＣＳによるデータ送信を許可する場合は、その旨を示す許可信号を多重部１１６へ出力するとともに、選択されたＭＣＳを復調部１１２および復号部１１４へ通知する。
【００３８】
復調部１１２は、選択されたＭＣＳの方式で変調されているデータ信号を復調する。復号部１１４は、選択されたＭＣＳの方式で誤り訂正符号化されているデータ信号を誤り訂正復号し、受信データを出力する。
【００３９】
多重部１１６は、送信データにＴＰＣコマンドおよび許可信号を多重する。変調部１１８は、多重部１１６から出力される多重信号を変調する。無線送信部１２０は、変調部１１８から出力された信号に所定の無線処理（Ｄ／Ａ変換、アップコンバートなど）を行い、アンテナを介して送信する。
【００４０】
図２は、実施の形態１に係る移動局装置２００の構成を示すブロック図である。同図に示す移動局装置２００は、無線受信部２０２、復調部２０４、分離部２０６、送信電力制御部２０８、受信品質推定部２１０、ＭＣＳ選択部２１２、符号化部２１４、変調部２１６、符号化部２１８、変調部２２０、多重部２２２、および無線送信部２２４から構成されている。なお、図２に示す移動局装置２００は、基地局装置１００と無線通信を行う。
【００４１】
無線受信部２０２は、アンテナを介して信号を受信し、所定の無線処理（ダウンコンバート、Ａ／Ｄ変換など）を行う。復調部２０４は、受信信号を復調する。分離部２０６は、受信信号の復調結果を、受信データ、基地局装置１００から送信されたＴＰＣコマンド、および基地局装置１００から送信された許可信号に分離する。
【００４２】
送信電力制御部２０８は、基地局装置１００から送信されたＴＰＣコマンドに従って、無線送信部２２４内の図示しない増幅器を制御し、信号の送信電力を変更する。また、送信電力制御部２０８は、変更した送信電力値を受信品質推定部２１０へ出力する。受信品質推定部２１０は、変更された実際の送信電力値と送信電力情報に含まれる移動局装置２００が送信できる最大の送信電力値との差である送信可能電力を求め、送信電力を送信可能電力分だけ上げて信号を送信した場合の基地局装置１００における予想受信品質を推定する。ＭＣＳ選択部２１２は、予想受信品質に対して伝送可能なＭＣＳを定めたテーブルをあらかじめ保持しており、受信品質推定部２１０によって推定された予想受信品質に対応するＭＣＳを選択し、選択したＭＣＳを報知するためのＭＣＳ報知信号を出力する。符号化部２１４は、ＭＣＳ報知信号を誤り訂正符号化する。変調部２１６は、誤り訂正符号化されたＭＣＳ報知信号を変調する。
【００４３】
符号化部２１８は、分離部２０６から出力された許可信号に従い、基地局装置１００によって許可されたＭＣＳの誤り訂正符号化方式によって送信データを誤り訂正符号化する。変調部２２０は、分離部２０６から出力された許可信号に従い、基地局装置１００によって許可されたＭＣＳの変調方式によってデータ信号を変調する。
【００４４】
多重部２２２は、変調されたデータ信号およびＭＣＳ報知信号を多重する。無線送信部２２４は、多重部２２２から出力される多重信号に所定の無線処理（Ｄ／Ａ変換、アップコンバートなど）を行い、送信電力制御部２０８によって制御される送信電力で、アンテナを介して送信する。
【００４５】
次いで、上記のように構成された基地局装置１００と移動局装置２００との通信動作について説明する。なお、ここでは、移動局装置２００がＴＰＣコマンドを含む信号を受信してからの動作について説明する。また、基地局装置１００は、パイロットチャネルの受信品質をデータチャネルの受信品質へ補正するための補正値を移動局装置２００に対して報知しているものとする。
【００４６】
基地局装置１００から送信されたＴＰＣコマンドを含む信号は、移動局装置２００の無線受信部２０２によって、アンテナを介して受信され、所定の無線処理（ダウンコンバート、Ａ／Ｄ変換など）が行われる。受信信号は、復調部２０４によって復調され、分離部２０６によって、受信データとＴＰＣコマンドとに分離される。そして、ＴＰＣコマンドは、送信電力制御部２０８へ出力され、送信電力制御部２０８によって、無線送信部２２４内の図示しない増幅器の出力がＴＰＣコマンドの示す送信電力値となるように設定される。また、ＴＰＣコマンドの示す送信電力値は、受信品質推定部２１０へ出力される。
【００４７】
そして、受信品質推定部２１０によって、送信電力情報に含まれる移動局装置２００が送信できる最大の送信電力値とＴＰＣコマンドの示す送信電力値との差（送信可能電力）が求められ、求められたデータチャネルの送信可能電力にパイロットチャネルの受信品質をデータチャネルの受信品質へ補正するための補正値が加算されることにより、基地局装置１００におけるデータチャネルの予想受信品質が推定される。そして、ＭＣＳ選択部２１２によって、あらかじめ保持されているテーブルから、受信品質推定部２１０から出力された予想受信品質に対応するＭＣＳが選択され、選択されたＭＣＳを基地局装置１００へ報知するためのＭＣＳ報知信号が出力される。ＭＣＳ報知信号は、符号化部２１４によって符号化され、変調部２１６によって変調され、多重部２２２へ出力される。
【００４８】
ここで、ＭＣＳ選択部２１２によるＭＣＳの選択は、例えば図３に示すように行われる。すなわち、予想受信品質が所定の境界値ｘ１以上ｘ２以下である場合は、ＭＣＳとしてレベル３が選択され、予想受信品質が所定の境界値ｘ２以上ｘ３以下である場合は、ＭＣＳとしてレベル２が選択され、予想受信品質が所定の境界値ｘ３以上である場合は、ＭＣＳとしてレベル１が選択される。したがって、予想受信品質がｘ３以上である時刻ｔ１および時刻ｔ２においては、ＭＣＳとしてレベル１が選択され、予想受信品質がｘ２以上ｘ３以下である時刻ｔ３、時刻ｔ５、および時刻ｔ６においては、ＭＣＳとしてレベル２が選択され、予想受信品質がｘ１以上ｘ２以下である時刻ｔ４においては、ＭＣＳとしてレベル３が選択される。
【００４９】
一方、送信データは、符号化部２１８によって、現在使用中のＭＣＳの誤り訂正符号化方式によって誤り訂正符号化される。また、送信データは、変調部２２０によって、現在使用中のＭＣＳの変調方式によって変調され、得られたデータ信号は、多重部２２２へ出力される。そして、多重部２２２によって、ＭＣＳ報知信号とデータ信号が多重されることにより、送信信号が生成され、送信信号は、無線送信部２２４によって、所定の無線処理（Ｄ／Ａ変換、アップコンバートなど）が行われた後、送信電力制御部２０８から出力された送信電力値でアンテナを介して送信される。
【００５０】
ＭＣＳ報知信号およびデータ信号を含む信号は、基地局装置１００のアンテナを介して、無線受信部１０２に受信され、所定の無線処理（ダウンコンバート、Ａ／Ｄ変換など）が行われる。受信信号は、ＳＩＲ測定部１０４および分離部１０８へ出力され、ＳＩＲ測定部１０４によって、ＳＩＲが測定される。そして、ＴＰＣコマンド生成部１０６によって、測定されたＳＩＲが目標受信品質と比較され、比較結果に基づいてＴＰＣコマンドが生成され、ＴＰＣコマンドは多重部１１６へ出力される。
【００５１】
また、受信信号は、分離部１０８によって、ＭＣＳ報知信号とデータ信号とに分離され、ＭＣＳ報知信号は、復調部１１０へ出力され、データ信号は、復調部１１２へ出力される。ＭＣＳ報知信号は、復調部１１０によって復調され、移動局装置２００によって選択されたＭＣＳでのデータ送信を許可する場合は、その旨を示す許可信号が多重部１１６へ出力され、選択されたＭＣＳが復調部１１２および復号部１１４へ通知される。一方、データ信号は、復調部１１２によって復調され、復号部１１４によって誤り訂正復号され、受信データが得られる。このとき、復調部１１２による復調および復号部１１４による誤り訂正復号は、復調部１１０から事前に通知されているＭＣＳの変調方式および誤り訂正符号化方式に対応する復調および誤り訂正復号を行う。
【００５２】
そして、多重部１１６によって、ＴＰＣコマンド、許可信号、および送信データが多重され、多重信号は、変調部１１８によって変調され、無線送信部１２０によって、所定の無線処理（Ｄ／Ａ変換、アップコンバートなど）が行われ、アンテナを介して送信される。
【００５３】
ＴＰＣコマンド、許可信号、およびデータを含む信号は、移動局装置２００のアンテナを介して無線受信部２０２によって受信され、所定の無線処理（ダウンコンバート、Ａ／Ｄ変換など）が行われる。そして、受信信号は、復調部２０４によって復調され、分離部２０６によって、ＴＰＣコマンド、許可信号、および受信データに分離され、ＴＰＣコマンドは、送信電力制御部２０８へ出力され、許可信号は、符号化部２１８および変調部２２０へ出力される。
【００５４】
以下、上記の動作を繰り返して、送信可能電力から基地局装置１００における予想受信品質を推定し、ＭＣＳを選択する。
【００５５】
このように、本実施の形態によれば、移動局装置は、基地局装置からのＴＰＣコマンドに従って設定される実際に信号を送信する際の送信電力と自装置が送信できる最大の送信電力との差（送信可能電力）に基づいて基地局装置における予想受信品質を推定し、推定された予想受信品質に対応するＭＣＳを選択するため、移動局装置から基地局装置へ向かう上り回線の通信において伝搬路の状態に応じた最適なＭＣＳを選択することができる。
【００５６】
なお、本実施の形態においては、基地局装置１００は、パイロットチャネルの受信品質をデータチャネルの受信品質へ補正するための補正値を移動局装置２００に対して報知しているものとして説明したが、基地局装置１００が補正値を報知していない場合は、基地局装置１００におけるデータチャネルの予想受信品質は、データチャネルの送信可能電力に等しいものとしてＭＣＳの選択が行われる。
【００５７】
（実施の形態２）
本発明の実施の形態２の特徴は、クローズドループ型の送信電力制御を行う移動局装置を有する無線通信システムにおいて、基地局装置が上り回線において最適なＭＣＳを選択する点である。
【００５８】
図４は、実施の形態２に係る基地局装置１００ａの構成を示すブロック図である。同図に示す基地局装置１００ａは、図１に示す基地局装置１００にＭＣＳ選択部１２２を付加した構成を有する。それ以外の構成については、図１に示す基地局装置１００と同様であり、その説明を省略する。
【００５９】
ＭＣＳ選択部１２２は、後述する移動局装置２００ａから送信された基地局装置１００ａにおける予想受信品質に対して伝送可能なＭＣＳを定めたテーブルをあらかじめ保持しており、移動局装置２００ａから送信された予想受信品質に対応するＭＣＳを選択し、選択したＭＣＳを報知するためのＭＣＳ報知信号を出力する。
【００６０】
図５は、実施の形態２に係る移動局装置２００ａの構成を示すブロック図である。同図に示す移動局装置２００ａは、図２に示す移動局装置２００からＭＣＳ選択部２１２を削除した構成を有する。したがって、その説明は省略する。
【００６１】
次いで、上記のように構成された基地局装置１００ａと移動局装置２００ａとの通信動作について説明する。なお、ここでは、移動局装置２００ａがＴＰＣコマンドを含む信号を受信してからの動作について説明する。
【００６２】
基地局装置１００ａから送信されたＴＰＣコマンドを含む信号が受信されてから基地局装置１００ａにおける予想受信品質が推定されるまでの動作は、実施の形態１と同様であり、説明を省略する。
【００６３】
受信品質推定部２１０によって、予想受信品質が推定されると、推定された予想受信品質情報が符号化部２１４へ出力され、予想受信品質情報は、符号化部２１４によって符号化され、変調部２１６によって変調され、多重部２２２へ出力される。
【００６４】
そして、実施の形態１と同様に、誤り訂正符号化され、変調されたデータ信号と予想受信品質情報とが多重部２２２によって多重されることにより、送信信号が生成され、送信信号は、無線送信部２２４によって、所定の無線処理（Ｄ／Ａ変換、アップコンバートなど）が行われた後、送信電力制御部２０８から出力された送信電力値でアンテナを介して送信される。
【００６５】
予想受信品質情報およびデータ信号を含む信号は、基地局装置１００ａのアンテナを介して、無線受信部１０２に受信され、所定の無線処理（ダウンコンバート、Ａ／Ｄ変換など）が行われる。受信信号は、ＳＩＲ測定部１０４および分離部１０８へ出力され、ＳＩＲ測定部１０４によって、ＳＩＲが測定される。そして、ＴＰＣコマンド生成部１０６によって、測定されたＳＩＲが目標受信品質と比較され、比較結果に基づいてＴＰＣコマンドが生成され、ＴＰＣコマンドは多重部１１６へ出力される。
【００６６】
また、受信信号は、分離部１０８によって、予想受信品質情報とデータ信号とに分離され、予想受信品質情報は、復調部１１０へ出力され、データ信号は、復調部１１２へ出力される。予想受信品質情報は、復調部１１０によって復調され、ＭＣＳ選択部１２２へ出力される。そして、ＭＣＳ選択部１２２によって、あらかじめ保持されているテーブルから、予想受信品質情報に対応するＭＣＳが選択され、選択されたＭＣＳを移動局装置２００ａへ報知するためのＭＣＳ報知信号が多重部１１６へ出力される。
【００６７】
そして、多重部１１６によって、ＴＰＣコマンド、ＭＣＳ報知信号、および送信データが多重され、多重信号は、変調部１１８によって変調され、無線送信部１２０によって、所定の無線処理（Ｄ／Ａ変換、アップコンバートなど）が行われ、アンテナを介して送信される。
【００６８】
ＴＰＣコマンド、ＭＣＳ報知信号、およびデータを含む信号は、移動局装置２００ａのアンテナを介して無線受信部２０２によって受信され、所定の無線処理（ダウンコンバート、Ａ／Ｄ変換など）が行われる。そして、受信信号は、復調部２０４によって復調され、分離部２０６によって、ＴＰＣコマンド、ＭＣＳ報知信号、および受信データに分離され、ＴＰＣコマンドは、送信電力制御部２０８へ出力され、ＭＣＳ報知信号は、符号化部２１８および変調部２２０へ出力される。
【００６９】
以下、上記の動作を繰り返して、送信可能電力から基地局装置１００ａにおける予想受信品質を推定し、ＭＣＳを選択する。
【００７０】
このように、本実施の形態によれば、移動局装置は、基地局装置からのＴＰＣコマンドに従って設定される実際に信号を送信する際の送信電力と自装置が送信できる最大の送信電力との差（送信可能電力）に基づいて基地局装置における予想受信品質を推定し、基地局装置は、移動局装置において推定された予想受信品質に対応するＭＣＳを選択するため、移動局装置から基地局装置へ向かう上り回線の通信において伝搬路の状態に応じた最適なＭＣＳを選択することができる。
【００７１】
（実施の形態３）
本発明の実施の形態３の特徴は、クローズドループ型の送信電力制御を行う移動局装置を有する無線通信システムにおいて、移動局装置が送信電力を行うにもかかわらず、基地局装置における受信品質が目標受信品質と比較して大きく異なる場合、その受信品質の差に応じて選択するＭＣＳを変更する点である。
【００７２】
図６は、実施の形態３に係る基地局装置３００の構成を示すブロック図である。同図に示す基地局装置３００において、図１に示す基地局装置１００と同じ部分には同じ符号を付して、その説明を省略する。
【００７３】
ＭＣＳ補正部３０２は、ＳＩＲ測定部１０４によって測定されたＳＩＲと目標受信品質との差を受信品質補正値として算出し、受信品質補正値と移動局装置によって選択されたＭＣＳとに基づいて新たなＭＣＳを定めるテーブルから、算出された受信品質補正値に対応するＭＣＳを選択し、選択したＭＣＳを報知するためのＭＣＳ報知信号を出力する。
【００７４】
本実施の形態に係る移動局装置は、実施の形態１に係る移動局装置２００（図２）と同様の構成を有しており、その説明を省略する。
【００７５】
次いで、上記のように構成された基地局装置３００と移動局装置２００との通信動作について説明する。なお、ここでは、移動局装置２００がＴＰＣコマンドを含む信号を受信してからの動作について説明する。
【００７６】
基地局装置３００から送信されたＴＰＣコマンドを含む信号が受信されてから、ＭＣＳ報知信号およびデータ信号を含む信号が移動局装置２００から送信されるまでの動作は、実施の形態１と同様であり、説明を省略する。
【００７７】
ＭＣＳ報知信号およびデータ信号を含む信号は、基地局装置３００のアンテナを介して、無線受信部１０２に受信され、所定の無線処理（ダウンコンバート、Ａ／Ｄ変換など）が行われる。受信信号は、ＳＩＲ測定部１０４および分離部１０８へ出力され、ＳＩＲ測定部１０４によって、ＳＩＲが測定され、ＳＩＲは、ＴＰＣコマンド生成部１０６およびＭＣＳ補正部３０２へ出力される。そして、ＴＰＣコマンド生成部１０６によって、測定されたＳＩＲが目標受信品質と比較され、比較結果に基づいてＴＰＣコマンドが生成され、ＴＰＣコマンドは多重部１１６へ出力される。
【００７８】
また、受信信号は、分離部１０８によって、ＭＣＳ報知信号とデータ信号とに分離され、ＭＣＳ報知信号は、復調部１１０へ出力され、データ信号は、復調部１１２へ出力される。ＭＣＳ報知信号は、復調部１１０によって復調され、ＭＣＳ補正部３０２へ出力される。そして、ＭＣＳ補正部３０２によって、測定されたＳＩＲと目標受信品質との差である受信品質補正値が算出され、あらかじめ保持されたＭＣＳ選択のためのテーブルから、算出された受信品質補正値とＭＣＳ報知信号によって報知されたＭＣＳとに対応する新たなＭＣＳが選択され、選択されたＭＣＳを移動局装置２００へ報知するためのＭＣＳ報知信号が多重部１１６へ出力される。
【００７９】
そして、多重部１１６によって、ＴＰＣコマンド、ＭＣＳ報知信号、および送信データが多重され、多重信号は、変調部１１８によって変調され、無線送信部１２０によって、所定の無線処理（Ｄ／Ａ変換、アップコンバートなど）が行われ、アンテナを介して送信される。
【００８０】
ＴＰＣコマンド、ＭＣＳ報知信号、およびデータを含む信号は、移動局装置２００のアンテナを介して無線受信部２０２によって受信され、所定の無線処理（ダウンコンバート、Ａ／Ｄ変換など）が行われる。そして、受信信号は、復調部２０４によって復調され、分離部２０６によって、ＴＰＣコマンド、ＭＣＳ報知信号、および受信データに分離され、ＴＰＣコマンドは、送信電力制御部２０８へ出力され、ＭＣＳ報知信号は、符号化部２１８および変調部２２０へ出力される。
【００８１】
以下、上記の動作を繰り返して、送信可能電力から基地局装置３００における予想受信品質を推定し、ＭＣＳを選択する。
【００８２】
このように、本実施の形態によれば、基地局装置は、移動局装置によって選択されたＭＣＳおよび基地局装置における受信品質と目標受信品質との差から新たなＭＣＳを選択するため、基地局装置において測定された受信品質と目標受信品質とが大きくずれている場合でも、移動局装置から基地局装置へ向かう上り回線の通信において伝搬路の状態に応じた最適なＭＣＳを選択することができる。
【００８３】
（実施の形態４）
本発明の実施の形態４の特徴は、クローズドループ型の送信電力制御を行う移動局装置を有する無線通信システムにおいて、ＭＣＳ選択のためのテーブルにおける予想受信品質の境界値と実際の予想受信品質との差から選択するＭＣＳを補正する点である。
【００８４】
図７は、実施の形態４に係る基地局装置３００ａの構成を示すブロック図である。同図に示す基地局装置３００ａは、図６に示す基地局装置３００に分離部３０４を付加した構成を有する。それ以外の構成については、図６に示す基地局装置３００と同様であり、その説明を省略する。
【００８５】
分離部３０４は、ＭＣＳ報知信号を、移動局装置によって選択されたＭＣＳの情報および予想受信品質の境界値と実際の予想受信品質との差分の情報に分離する。ＭＣＳ補正部３０６は、ＳＩＲ測定部１０４によって測定されたＳＩＲと目標受信品質との差を受信品質補正値として算出し、受信品質補正値、予想受信品質の境界値と実際の予想受信品質との差分、および移動局装置によって選択されたＭＣＳに基づいて新たなＭＣＳを定めるテーブルから、新たにＭＣＳを選択し、選択したＭＣＳを報知するためのＭＣＳ報知信号を出力する。
【００８６】
図８は、実施の形態４に係る移動局装置４００の構成を示すブロック図である。同図に示す移動局装置４００において、図２に示す移動局装置２００と同じ部分には同じ符号を付し、その説明を省略する。
【００８７】
多重部４０２は、ＭＣＳ選択部２１２によって選択されたＭＣＳの情報およびＭＣＳ選択のためのテーブルにおける予想受信品質の境界値と実際の予想受信品質との差分の情報を多重し、ＭＣＳ報知信号を生成する。
【００８８】
次いで、上記のように構成された基地局装置３００ａと移動局装置４００との通信動作について説明する。なお、ここでは、移動局装置４００がＴＰＣコマンドを含む信号を受信してからの動作について説明する。
【００８９】
基地局装置３００ａから送信されたＴＰＣコマンドを含む信号が受信されてからＭＣＳが選択されるまでの動作は、実施の形態１と同様であり、説明を省略する。
【００９０】
選択されたＭＣＳの情報およびＭＣＳを選択する際に参照したテーブルにおける予想受信品質の境界値と実際の予想受信品質との差分の情報が、ＭＣＳ選択部２１２から多重部４０２へ出力され、これらの情報が多重部４０２によって多重されることにより、ＭＣＳ報知信号が生成される。ＭＣＳ報知信号は、符号化部２１４によって符号化され、変調部２１６によって変調され、多重部２２２へ出力される。
【００９１】
そして、実施の形態１と同様に、誤り訂正符号化され、変調されたデータ信号とＭＣＳ報知信号とが多重部２２２によって多重されることにより、送信信号が生成され、送信信号は、無線送信部２２４によって、所定の無線処理（Ｄ／Ａ変換、アップコンバートなど）が行われた後、送信電力制御部２０８から出力された送信電力でアンテナを介して送信される。
【００９２】
ＭＣＳ報知信号およびデータ信号を含む信号は、基地局装置３００ａのアンテナを介して、無線受信部１０２に受信され、所定の無線処理（ダウンコンバート、Ａ／Ｄ変換など）が行われる。受信信号は、ＳＩＲ測定部１０４および分離部１０８へ出力され、ＳＩＲ測定部１０４によって、ＳＩＲが測定され、ＳＩＲは、ＴＰＣコマンド生成部１０６およびＭＣＳ補正部３０６へ出力される。そして、ＴＰＣコマンド生成部１０６によって、測定されたＳＩＲが目標受信品質と比較され、比較結果に基づいてＴＰＣコマンドが生成され、ＴＰＣコマンドは多重部１１６へ出力される。
【００９３】
また、受信信号は、分離部１０８によって、ＭＣＳ報知信号とデータ信号とに分離され、ＭＣＳ報知信号は、復調部１１０へ出力され、データ信号は、復調部１１２へ出力される。ＭＣＳ報知信号は、復調部１１０によって復調され、分離部３０４へ出力される。そして、ＭＣＳ報知信号は、分離部３０４によって、移動局装置４００によって選択されたＭＣＳの情報および予想受信品質の境界値と実際の予想受信品質との差分の情報に分離され、ＭＣＳ補正部３０６へ出力される。そして、ＭＣＳ補正部３０６によって、測定されたＳＩＲと目標受信品質との差である受信品質補正値が算出され、あらかじめ保持されたＭＣＳ選択のためのテーブルから、算出された受信品質補正値、予想受信品質の境界値と実際の予想受信品質との差分、および移動局装置４００によって選択されたＭＣＳに対応する新たなＭＣＳが選択され、選択されたＭＣＳを移動局装置４００へ報知するためのＭＣＳ報知信号が多重部１１６へ出力される。
【００９４】
そして、多重部１１６によって、ＴＰＣコマンド、ＭＣＳ報知信号、および送信データが多重され、多重信号は、変調部１１８によって変調され、無線送信部１２０によって、所定の無線処理（Ｄ／Ａ変換、アップコンバートなど）が行われ、アンテナを介して送信される。
【００９５】
ＴＰＣコマンド、ＭＣＳ報知信号、およびデータを含む信号は、移動局装置４００のアンテナを介して無線受信部２０２によって受信され、所定の無線処理（ダウンコンバート、Ａ／Ｄ変換など）が行われる。そして、受信信号は、復調部２０４によって復調され、分離部２０６によって、ＴＰＣコマンド、ＭＣＳ報知信号、および受信データに分離され、ＴＰＣコマンドは、送信電力制御部２０８へ出力され、ＭＣＳ報知信号は、符号化部２１８および変調部２２０へ出力される。
【００９６】
以下、上記の動作を繰り返して、送信可能電力から基地局装置３００ａにおける予想受信品質を推定し、ＭＣＳを選択する。
【００９７】
このように、本実施の形態によれば、基地局装置は、移動局装置によって選択されたＭＣＳ、基地局装置における受信品質と目標受信品質との差、およびＭＣＳ選択のためのテーブルにおける予想受信品質の境界値と実際の予想受信品質との差分から新たなＭＣＳを選択するため、基地局装置において測定された受信品質と目標受信品質とが大きくずれている場合でも、移動局装置から基地局装置へ向かう上り回線の通信において伝搬路の状態に応じた最適なＭＣＳを選択することができる。
【００９８】
（実施の形態５）
本発明の実施の形態５の特徴は、クローズドループ型の送信電力制御を行う移動局装置を有する無線通信システムにおいて、基地局装置が予想受信品質を補正した上でＭＣＳを選択する点である。
【００９９】
図９は、実施の形態５に係る基地局装置３００ｂの構成を示すブロック図である。同図に示す基地局装置３００ｂは、図６に示す基地局装置３００のＭＣＳ補正部３０２に代えて、受信品質補正部３０８およびＭＣＳ選択部１２２を有している。それ以外の構成については、図６に示す基地局装置３００と同様であり、その説明を省略する。
【０１００】
受信品質補正部３０８は、ＳＩＲ測定部１０４によって測定されたＳＩＲと目標受信品質との差を受信品質補正値として算出し、移動局装置から送信された予想品質情報とともに、ＭＣＳ選択部１２２へ出力する。ＭＣＳ選択部１２２は、受信品質補正値と予想受信品質とに基づいてＭＣＳを定めるテーブルから、算出された受信品質補正値および移動局装置から送信された予想受信品質に対応するＭＣＳを選択し、選択したＭＣＳを報知するためのＭＣＳ報知信号を出力する。
【０１０１】
本実施の形態に係る移動局装置は、実施の形態２に係る移動局装置２００ａ（図５）と同様の構成を有しており、その説明を省略する。
【０１０２】
次いで、上記のように構成された基地局装置３００ｂと移動局装置２００ａとの通信動作について説明する。なお、ここでは、移動局装置２００ａがＴＰＣコマンドを含む信号を受信してからの動作について説明する。
【０１０３】
基地局装置３００ｂから送信されたＴＰＣコマンドを含む信号が受信されてから、予想受信品質情報およびデータ信号を含む信号が移動局装置２００ａから送信されるまでの動作は、実施の形態２と同様であり、説明を省略する。
【０１０４】
予想受信品質情報およびデータ信号を含む信号は、基地局装置３００ｂのアンテナを介して、無線受信部１０２に受信され、所定の無線処理（ダウンコンバート、Ａ／Ｄ変換など）が行われる。受信信号は、ＳＩＲ測定部１０４および分離部１０８へ出力され、ＳＩＲ測定部１０４によって、ＳＩＲが測定され、ＳＩＲは、ＴＰＣコマンド生成部１０６および受信品質補正部３０８へ出力される。そして、ＴＰＣコマンド生成部１０６によって、測定されたＳＩＲが目標受信品質と比較され、比較結果に基づいてＴＰＣコマンドが生成され、ＴＰＣコマンドは多重部１１６へ出力される。
【０１０５】
また、受信信号は、分離部１０８によって、予想受信品質情報とデータ信号とに分離され、予想受信品質情報は、復調部１１０によって復調され、受信品質補正部３０８へ出力される。そして、受信品質補正部３０８によって、測定されたＳＩＲと目標受信品質との差である受信品質補正値が算出され、算出された受信品質補正値と予想受信品質とがＭＣＳ選択部１２２へ出力される。そして、ＭＣＳ選択部１２２によって、あらかじめ保持されたＭＣＳ選択のためのテーブルから、算出された受信品質補正値と移動局装置２００ａから送信された予想受信品質とに対応するＭＣＳが選択され、選択されたＭＣＳを移動局装置２００ａへ報知するためのＭＣＳ報知信号が多重部１１６へ出力される。
【０１０６】
そして、多重部１１６によって、ＴＰＣコマンド、ＭＣＳ報知信号、および送信データが多重され、多重信号は、変調部１１８によって変調され、無線送信部１２０によって、所定の無線処理（Ｄ／Ａ変換、アップコンバートなど）が行われ、アンテナを介して送信される。
【０１０７】
ＴＰＣコマンド、ＭＣＳ報知信号、およびデータを含む信号は、移動局装置２００ａのアンテナを介して無線受信部２０２によって受信され、所定の無線処理（ダウンコンバート、Ａ／Ｄ変換など）が行われる。そして、受信信号は、復調部２０４によって復調され、分離部２０６によって、ＴＰＣコマンド、ＭＣＳ報知信号、および受信データに分離され、ＴＰＣコマンドは、送信電力制御部２０８へ出力され、ＭＣＳ報知信号は、符号化部２１８および変調部２２０へ出力される。
【０１０８】
以下、上記の動作を繰り返して、送信可能電力から基地局装置３００ｂにおける予想受信品質を推定し、ＭＣＳを選択する。
【０１０９】
このように、本実施の形態によれば、基地局装置は、移動局装置によって推定された自装置における予想受信品質および自装置における受信品質と目標受信品質との差からＭＣＳを選択するため、基地局装置において測定された受信品質と目標受信品質とが大きくずれている場合でも、移動局装置から基地局装置へ向かう上り回線の通信において伝搬路の状態に応じた最適なＭＣＳを選択することができる。
【０１１０】
（実施の形態６）
本発明の実施の形態６の特徴は、オープンループ型の送信電力制御を行う移動局装置を有する無線通信システムにおいて、移動局装置が上り回線において最適なＭＣＳを選択する点である。
【０１１１】
図１０は、実施の形態６に係る基地局装置５００の構成を示すブロック図である。同図に示す基地局装置５００は、無線受信部５０２、分離部５０４、復調部５０６、復調部５０８、復号部５１０、多重部５１２、変調部５１４、および無線送信部５１６から構成されている。なお、図１０に示す基地局装置５００は、後述する移動局装置６００と無線通信を行う。
【０１１２】
無線受信部５０２は、アンテナを介して信号を受信し、所定の無線処理（ダウンコンバート、Ａ／Ｄ変換など）を行う。分離部５０４は、無線受信部５０２によって受信される受信信号を、データを含むデータ信号と後述する移動局装置６００によって選択されたＭＣＳを報知するためのＭＣＳ報知信号とに分離する。復調部５０６は、ＭＣＳ報知信号を復調し、選択されたＭＣＳによるデータ送信を許可する場合は、その旨を示す許可信号を多重部５１２へ出力するとともに、選択されたＭＣＳを復調部５０８および復号部５１０へ通知する。
【０１１３】
復調部５０８は、選択されたＭＣＳの方式で変調されているデータ信号を復調する。復号部５１０は、選択されたＭＣＳの方式で誤り訂正符号化されているデータ信号を誤り訂正復号し、受信データを出力する。
【０１１４】
多重部５１２は、送信データに許可信号を多重する。変調部５１４は、多重部５１２から出力された多重信号を変調する。無線送信部５１６は、変調部５１４から出力された信号に所定の無線処理（Ｄ／Ａ変換、アップコンバートなど）を行い、アンテナを介して送信する。
【０１１５】
図１１は、実施の形態６に係る移動局装置６００の構成を示すブロック図である。同図に示す移動局装置６００は、無線受信部６０２、復調部６０４、分離部６０６、パスロス測定部６０８、送信電力制御部６１０、受信品質推定部６１２、ＭＣＳ選択部６１４、符号化部６１６、変調部６１８、符号化部６２０、変調部６２２、多重部６２４、および無線送信部６２６から構成されている。なお、図１１に示す移動局装置６００は、基地局装置５００と無線通信を行う。
【０１１６】
無線受信部６０２は、アンテナを介して信号を受信し、所定の無線処理（ダウンコンバート、Ａ／Ｄ変換など）を行う。復調部６０４は、受信信号を復調する。分離部６０６は、受信信号の復調結果を、受信データ、基地局装置５００から送信された際の送信電力が既知である既知信号、および基地局装置５００から送信された許可信号に分離する。
【０１１７】
パスロス測定部６０８は、無線受信部６０２によって受信された信号の受信電力と基地局装置５００から送信された既知信号とを用いてパスロスを測定する。送信電力制御部６１０は、基地局装置５００における目標受信電力にパスロスを加えた電力を送信電力値として、無線送信部６２６内の図示しない増幅器に設定する。また、送信電力制御部６１０は、送信電力値を受信品質推定部６１２へ出力する。受信品質推定部６１２は、実際の送信電力値と送信電力情報に含まれる移動局装置６００が送信できる最大の送信電力値との差である送信可能電力を求め、送信電力を送信可能電力分だけ上げて信号を送信した場合の基地局装置５００における予想受信品質を推定する。ＭＣＳ選択部６１４は、予想受信品質に対して伝送可能なＭＣＳを定めたテーブルをあらかじめ保持しており、受信品質推定部６１２によって推定された予想受信品質に対応するＭＣＳを選択し、選択したＭＣＳを報知するためのＭＣＳ報知信号を出力する。符号化部６１６は、ＭＣＳ報知信号を誤り訂正符号化する。変調部６１８は、誤り訂正符号化されたＭＣＳ報知信号を変調する。
【０１１８】
符号化部６２０は、分離部６０６から出力された許可信号に従い、基地局装置５００によって許可されたＭＣＳの誤り訂正符号化方式によって送信データを誤り訂正符号化する。変調部６２２は、分離部６０６から出力された許可信号に従い、基地局装置５００によって許可されたＭＣＳの変調方式によってデータ信号を変調する。
【０１１９】
多重部６２４は、変調されたデータ信号およびＭＣＳ報知信号を多重する。無線送信部６２６は、多重部６２４から出力される多重信号に所定の無線処理（Ｄ／Ａ変換、アップコンバートなど）を行い、送信電力制御部６１０によって制御される送信電力で、アンテナを介して送信する。
【０１２０】
次いで、上記のように構成された基地局装置５００と移動局装置６００との通信動作について説明する。なお、ここでは、移動局装置６００が、基地局装置５００から送信された際の送信電力が既知である既知信号を含む信号を受信してからの動作について説明する。
【０１２１】
基地局装置５００から送信された信号は、移動局装置６００の無線受信部６０２によって、アンテナを介して受信され、所定の無線処理（ダウンコンバート、Ａ／Ｄ変換など）が行われる。受信信号は、パスロス測定部６０８へ出力されるとともに、復調部６０４によって復調され、分離部６０６によって、受信データと既知信号とに分離される。そして、既知信号は、パスロス測定部６０８へ出力され、パスロス測定部６０８によって、基地局装置５００が信号を送信した際の送信電力から無線受信部６０２によって受信された受信信号の受信電力が差し引かれることにより、パスロスが測定される。測定されたパスロスは、送信電力制御部６１０へ出力される。そして、送信電力制御部６１０によって、基地局装置５００における受信電力が既知の目標受信電力となるように、目標受信電力にパスロスを加算した値を送信電力値として、無線送信部６２６内の図示しない増幅器に設定する。また、送信電力値は、受信品質推定部６１２へ出力される。
【０１２２】
そして、受信品質推定部６１２によって、送信電力情報に含まれる移動局装置６００が送信できる最大の送信電力値と送信電力制御部６１０によって算出された送信電力値との差（送信可能電力）が求められ、求められたデータチャネルの送信可能電力にパイロットチャネルの受信品質をデータチャネルの受信品質に補正するための補正値が加算されることにより、基地局装置５００におけるデータチャネルの予想受信品質が推定される。そして、ＭＣＳ選択部６１４によって、あらかじめ保持されているテーブルから、受信品質推定部６１２から出力された予想受信品質に対応するＭＣＳが選択され、選択されたＭＣＳを基地局装置５００へ報知するためのＭＣＳ報知信号およびデータ信号報知信号が出力される。ＭＣＳ報知信号は、符号化部６１６によって符号化され、変調部６１８によって変調され、多重部６２４へ出力される。なお、ＭＣＳ選択部６１４によるＭＣＳの選択は、実施の形態１と同様に行われるものとする。
【０１２３】
一方、送信データは、符号化部６２０によって、現在使用中のＭＣＳの誤り訂正符号化方式によって誤り訂正符号化される。また、送信データは、変調部６２２によって、現在使用中のＭＣＳの変調方式によって変調され、得られたデータ信号は、多重部６２４へ出力される。そして、多重部６２４によって、ＭＣＳ報知信号とデータ信号が多重されることにより、送信信号が生成され、送信信号は、無線送信部６２６によって、所定の無線処理（Ｄ／Ａ変換、アップコンバートなど）が行われた後、送信電力制御部６１０から出力された送信電力値でアンテナを介して送信される。
【０１２４】
ＭＣＳ報知信号およびデータ信号を含む信号は、基地局装置５００のアンテナを介して、無線受信部５０２に受信され、所定の無線処理（ダウンコンバート、Ａ／Ｄ変換など）が行われる。受信信号は、分離部５０４によって、ＭＣＳ報知信号とデータ信号とに分離され、ＭＣＳ報知信号は、復調部５０６へ出力され、データ信号は、復調部５０８へ出力される。ＭＣＳ報知信号は、復調部５０６によって復調され、移動局装置６００によって選択されたＭＣＳでのデータ送信を許可する場合は、その旨を示す許可信号が多重部５１２へ出力され、選択されたＭＣＳが復調部５０８および復号部５１０へ通知される。一方、データ信号は、復調部５０８によって復調され、復号部５１０によって誤り訂正復号され、受信データが得られる。このとき、復調部５０８による復調および復号部５１０による誤り訂正復号は、復調部５０６から事前に通知されているＭＣＳの変調方式および誤り訂正符号化方式に対応する復調および誤り訂正復号を行う。
【０１２５】
そして、多重部５１２によって、許可信号および送信データが多重され、多重信号は、変調部５１４によって変調され、無線送信部５１６によって、所定の無線処理（Ｄ／Ａ変換、アップコンバートなど）が行われ、送信電力が既知である既知信号とともにアンテナを介して送信される。
【０１２６】
基地局装置５００における送信電力が既知である既知信号、許可信号、およびデータを含む信号は、移動局装置６００のアンテナを介して無線受信部６０２によって受信され、所定の無線処理（ダウンコンバート、Ａ／Ｄ変換など）が行われる。そして、受信信号は、復調部６０４によって復調され、分離部６０６によって、基地局装置５００における送信電力が既知である既知信号、許可信号、および受信データに分離され、既知信号は、パスロス測定部６０８へ出力され、許可信号は、符号化部６２０および変調部６２２へ出力される。
【０１２７】
以下、上記の動作を繰り返して、送信可能電力から基地局装置５００における予想受信品質を推定し、ＭＣＳを選択する。
【０１２８】
このように、本実施の形態によれば、移動局装置は、実際に信号を送信する際のパスロスを考慮した送信電力と自装置が送信できる最大の送信電力との差（送信可能電力）に基づいて基地局装置における予想受信品質を推定し、推定された予想受信品質に対応するＭＣＳを選択するため、移動局装置から基地局装置へ向かう上り回線の通信において伝搬路の状態に応じた最適なＭＣＳを選択することができる。
【０１２９】
（実施の形態７）
本発明の実施の形態７の特徴は、オープンループ型の送信電力制御を行う移動局装置を有する無線通信システムにおいて、基地局装置が上り回線において最適なＭＣＳを選択する点である。
【０１３０】
図１２は、実施の形態７に係る基地局装置５００ａの構成を示すブロック図である。同図に示す基地局装置５００ａは、図１０に示す基地局装置５００にＭＣＳ選択部５１８を付加した構成を有する。それ以外の構成については、図１０に示す基地局装置５００と同様であり、その説明を省略する。
【０１３１】
ＭＣＳ選択部５１８は、後述する移動局装置６００ａから送信された基地局装置５００ａにおける予想受信品質に対して伝送可能なＭＣＳを定めたテーブルをあらかじめ保持しており、移動局装置６００ａから送信された予想受信品質に対応するＭＣＳを選択し、選択したＭＣＳを報知するためのＭＣＳ報知信号を出力する。
【０１３２】
図１３は、実施の形態７に係る移動局装置６００ａの構成を示すブロック図である。同図に示す移動局装置６００ａは、図１１に示す移動局装置６００からＭＣＳ選択部６１４を削除した構成を有する。したがって、その説明は省略する。
【０１３３】
次いで、上記のように構成された基地局装置５００ａと移動局装置６００ａとの通信動作について説明する。なお、ここでは、移動局装置６００ａが、基地局装置５００ａから送信された際の送信電力が既知である既知信号を含む信号を受信してからの動作について説明する。
【０１３４】
基地局装置５００ａから送信された既知信号を含む信号が受信されてから基地局装置５００ａにおける予想受信品質が推定されるまでの動作は、実施の形態６と同様であり、説明を省略する。
【０１３５】
受信品質推定部６１２によって、予想受信品質が推定されると、推定された予想受信品質情報が符号化部６１６へ出力され、予想受信品質情報は、符号化部６１６によって符号化され、変調部６１８によって変調され、多重部６２４へ出力される。
【０１３６】
そして、実施の形態６と同様に、誤り訂正符号化され、変調されたデータ信号と予想受信品質情報とが多重部６２４によって多重されることにより、送信信号が生成され、送信信号は、無線送信部６２６によって、所定の無線処理（Ｄ／Ａ変換、アップコンバートなど）が行われた後、送信電力制御部６１０から出力された送信電力値でアンテナを介して送信される。
【０１３７】
予想受信品質情報およびデータ信号を含む信号は、基地局装置５００ａのアンテナを介して、無線受信部５０２に受信され、所定の無線処理（ダウンコンバート、Ａ／Ｄ変換など）が行われる。
【０１３８】
受信信号は、分離部５０４によって、予想受信品質情報とデータ信号とに分離され、予想受信品質情報は、復調部５０６へ出力され、データ信号は、復調部５０８へ出力される。予想受信品質情報は、復調部５０６によって復調され、ＭＣＳ選択部５１８へ出力される。そして、ＭＣＳ選択部５１８によって、あらかじめ保持されているテーブルから、予想受信品質情報に対応するＭＣＳが選択され、選択されたＭＣＳを移動局装置６００ａへ報知するためのＭＣＳ報知信号が多重部５１２へ出力される。
【０１３９】
そして、多重部５１２によって、ＭＣＳ報知信号および送信データが多重され、多重信号は、変調部５１４によって変調され、無線送信部５１６によって、所定の無線処理（Ｄ／Ａ変換、アップコンバートなど）が行われ、送信電力が既知である既知信号とともにアンテナを介して送信される。
【０１４０】
基地局装置５００ａにおける送信電力が既知である既知信号、許可信号、およびデータを含む信号は、移動局装置６００ａのアンテナを介して無線受信部６０２によって受信され、所定の無線処理（ダウンコンバート、Ａ／Ｄ変換など）が行われる。そして、受信信号は、復調部６０４によって復調され、分離部６０６によって、基地局装置５００ａにおける送信電力が既知である既知信号、許可信号、および受信データに分離され、既知信号は、パスロス測定部６０８へ出力され、許可信号は、符号化部６２０および変調部６２２へ出力される。
【０１４１】
以下、上記の動作を繰り返して、送信可能電力から基地局装置５００ａにおける予想受信品質を推定し、ＭＣＳを選択する。
【０１４２】
このように、本実施の形態によれば、移動局装置は、実際に信号を送信する際のパスロスを考慮した送信電力と自装置が送信できる最大の送信電力との差（送信可能電力）に基づいて基地局装置における予想受信品質を推定し、基地局装置は、移動局装置において推定された予想受信品質に対応するＭＣＳを選択するため、移動局装置から基地局装置へ向かう上り回線の通信において伝搬路の状態に応じた最適なＭＣＳを選択することができる。
【０１４３】
（実施の形態８）
本発明の実施の形態８の特徴は、オープンループ型の送信電力制御を行う移動局装置を有する無線通信システムにおいて、移動局装置が送信電力制御を行うことにより生じる受信品質の差に応じて、選択するＭＣＳを変更する点である。
【０１４４】
図１４は、実施の形態８に係る基地局装置７００の構成を示すブロック図である。同図に示す基地局装置７００において、図１０に示す基地局装置５００と同じ部分には同じ符号を付して、その説明を省略する。
【０１４５】
ＳＩＲ測定部７０２は、受信信号の受信品質であるＳＩＲを測定する。ＭＣＳ補正部７０４は、ＳＩＲ測定部７０２によって測定されたＳＩＲと目標受信品質との差を受信品質補正値として算出し、受信品質補正値と移動局装置によって選択されたＭＣＳとに基づいて新たなＭＣＳを定めるテーブルから、算出された受信品質補正値に対応するＭＣＳを選択し、選択したＭＣＳを報知するためのＭＣＳ報知信号を出力する。
【０１４６】
本実施の形態に係る移動局装置は、実施の形態６に係る移動局装置６００（図１１）と同様の構成を有しており、その説明を省略する。
【０１４７】
次いで、上記のように構成された基地局装置７００と移動局装置６００との通信動作について説明する。なお、ここでは、移動局装置６００が、基地局装置７００から送信された際の送信電力が既知である既知信号を含む信号を受信してからの動作について説明する。
【０１４８】
基地局装置７００から送信された既知信号を含む信号が受信されてから、ＭＣＳ報知信号およびデータ信号を含む信号が移動局装置６００から送信されるまでの動作は、実施の形態６と同様であり、説明を省略する。
【０１４９】
ＭＣＳ報知信号およびデータ信号を含む信号は、基地局装置７００のアンテナを介して、無線受信部５０２に受信され、所定の無線処理（ダウンコンバート、Ａ／Ｄ変換など）が行われる。受信信号は、ＳＩＲ測定部７０２および分離部５０４へ出力され、ＳＩＲ測定部７０２によって、ＳＩＲが測定され、ＳＩＲは、ＭＣＳ補正部７０４へ出力される。
【０１５０】
また、受信信号は、分離部５０４によって、ＭＣＳ報知信号とデータ信号とに分離され、ＭＣＳ報知信号は、復調部５０６へ出力され、データ信号は、復調部５０８へ出力される。ＭＣＳ報知信号は、復調部５０６によって復調され、ＭＣＳ補正部７０４へ出力される。そして、ＭＣＳ補正部７０４によって、測定されたＳＩＲと目標受信品質との差である受信品質補正値が算出され、あらかじめ保持されたＭＣＳ選択のためのテーブルから、算出された受信品質補正値とＭＣＳ報知信号によって報知されたＭＣＳとに対応する新たなＭＣＳが選択され、選択されたＭＣＳを移動局装置６００へ報知するためのＭＣＳ報知信号が多重部５１２へ出力される。
【０１５１】
そして、多重部５１２によって、ＭＣＳ報知信号および送信データが多重され、多重信号は、変調部５１４によって変調され、無線送信部５１６によって、所定の無線処理（Ｄ／Ａ変換、アップコンバートなど）が行われ、送信電力が既知である既知信号とともにアンテナを介して送信される。
【０１５２】
基地局装置７００における送信電力が既知である既知信号、ＭＣＳ報知信号、およびデータを含む信号は、移動局装置６００のアンテナを介して無線受信部６０２によって受信され、所定の無線処理（ダウンコンバート、Ａ／Ｄ変換など）が行われる。そして、受信信号は、復調部６０４によって復調され、分離部６０６によって、基地局装置７００における送信電力が既知である既知信号、ＭＣＳ報知信号、および受信データに分離され、既知信号は、パスロス測定部６０８へ出力され、ＭＣＳ報知信号は、符号化部６２０および変調部６２２へ出力される。
【０１５３】
以下、上記の動作を繰り返して、送信可能電力から基地局装置７００における予想受信品質を推定し、ＭＣＳを選択する。
【０１５４】
このように、本実施の形態によれば、基地局装置は、移動局装置によって選択されたＭＣＳおよび基地局装置における受信品質と目標受信品質との差から新たなＭＣＳを選択するため、基地局装置において測定された受信品質と目標受信品質とが大きくずれている場合でも、移動局装置から基地局装置へ向かう上り回線の通信において伝搬路の状態に応じた最適なＭＣＳを選択することができる。
【０１５５】
（実施の形態９）
本発明の実施の形態９の特徴は、オープンループ型の送信電力制御を行う移動局装置を有する無線通信システムにおいて、ＭＣＳ選択のためのテーブルにおける予想受信品質の境界値と実際の予想受信品質との差から選択するＭＣＳを補正する点である。
【０１５６】
図１５は、実施の形態９に係る基地局装置７００ａの構成を示すブロック図である。同図に示す基地局装置７００ａは、図１４に示す基地局装置７００に分離部７０６を付加した構成を有する。それ以外の構成については、図１４に示す基地局装置７００と同様であり、その説明を省略する。
【０１５７】
分離部７０６は、ＭＣＳ報知信号を、移動局装置によって選択されたＭＣＳの情報および予想受信品質の境界値と実際の予想受信品質との差分の情報に分離する。ＭＣＳ補正部７０４は、ＳＩＲ測定部７０２によって測定されたＳＩＲと目標受信品質との差を受信品質補正値として算出し、受信品質補正値、予想受信品質の境界値と実際の予想受信品質との差分、および移動局装置によって選択されたＭＣＳに基づいて新たなＭＣＳを定めるテーブルから、新たにＭＣＳを選択し、選択したＭＣＳを報知するためのＭＣＳ報知信号を出力する。
【０１５８】
図１６は、実施の形態９に係る移動局装置８００の構成を示すブロック図である。同図に示す移動局装置８００において、図１１に示す移動局装置６００と同じ部分には同じ符号を付し、その説明を省略する。
【０１５９】
多重部８０２は、ＭＣＳ選択部６１４によって選択されたＭＣＳの情報およびＭＣＳ選択のためのテーブルにおける予想受信品質の境界値と実際の予想受信品質との差分の情報を多重し、ＭＣＳ報知信号を生成する。
【０１６０】
次いで、上記のように構成された基地局装置７００ａと移動局装置８００との通信動作について説明する。なお、ここでは、移動局装置８００が、基地局装置７００ａから送信された際の送信電力が既知である既知信号を含む信号を受信してからの動作について説明する。
【０１６１】
基地局装置７００ａから送信された既知信号を含む信号が受信されてからＭＣＳが選択されるまでの動作は、実施の形態６と同様であり、説明を省略する。
【０１６２】
選択されたＭＣＳの情報およびＭＣＳを選択する際に参照したテーブルにおける予想受信品質の境界値と実際の予想受信品質との差分の情報が、ＭＣＳ選択部６１４から多重部８０２へ出力され、これらの情報が多重部８０２によって多重されることにより、ＭＣＳ報知信号が生成される。ＭＣＳ報知信号は、符号化部６１６によって符号化され、変調部６１８によって変調され、多重部６２４へ出力される。
【０１６３】
そして、実施の形態６と同様に、誤り訂正符号化され、変調されたデータ信号とＭＣＳ報知信号とが多重部６２４によって多重されることにより、送信信号が生成され、送信信号は、無線送信部６２６によって、所定の無線処理（Ｄ／Ａ変換、アップコンバートなど）が行われた後、送信電力制御部６１０から出力された送信電力でアンテナを介して送信される。
【０１６４】
ＭＣＳ報知信号およびデータ信号を含む信号は、基地局装置７００ａのアンテナを介して、無線受信部５０２に受信され、所定の無線処理（ダウンコンバート、Ａ／Ｄ変換など）が行われる。受信信号は、ＳＩＲ測定部７０２および分離部５０４へ出力され、ＳＩＲ測定部７０２によって、ＳＩＲが測定され、ＳＩＲは、ＭＣＳ補正部７０４へ出力される。
【０１６５】
また、受信信号は、分離部５０４によって、ＭＣＳ報知信号とデータ信号とに分離され、ＭＣＳ報知信号は、復調部５０６へ出力され、データ信号は、復調部５０８へ出力される。ＭＣＳ報知信号は、復調部５０６によって復調され、分離部７０６へ出力される。そして、ＭＣＳ報知信号は、分離部７０６によって、移動局装置８００によって選択されたＭＣＳの情報および予想受信品質の境界値と実際の予想受信品質との差分の情報に分離され、ＭＣＳ補正部７０４へ出力される。そして、ＭＣＳ補正部７０４によって、測定されたＳＩＲと目標受信品質との差である受信品質補正値が算出され、あらかじめ保持されたＭＣＳ選択のためのテーブルから、算出された受信品質補正値、予想受信品質の境界値と実際の予想受信品質との差分、および移動局装置８００によって選択されたＭＣＳに対応する新たなＭＣＳが選択され、選択されたＭＣＳを移動局装置８００へ報知するためのＭＣＳ報知信号が多重部５１２へ出力される。
【０１６６】
そして、多重部５１２によって、ＭＣＳ報知信号および送信データが多重され、多重信号は、変調部５１４によって変調され、無線送信部５１６によって、所定の無線処理（Ｄ／Ａ変換、アップコンバートなど）が行われ、送信電力が既知である既知信号とともにアンテナを介して送信される。
【０１６７】
基地局装置７００ａにおける送信電力が既知である既知信号、ＭＣＳ報知信号、およびデータを含む信号は、移動局装置８００のアンテナを介して無線受信部６０２によって受信され、所定の無線処理（ダウンコンバート、Ａ／Ｄ変換など）が行われる。そして、受信信号は、復調部６０４によって復調され、分離部６０６によって、基地局装置７００ａにおける送信電力が既知である既知信号、ＭＣＳ報知信号、および受信データに分離され、既知信号は、パスロス測定部６０８へ出力され、ＭＣＳ報知信号は、符号化部６２０および変調部６２２へ出力される。
【０１６８】
以下、上記の動作を繰り返して、送信可能電力から基地局装置７００ａにおける予想受信品質を推定し、ＭＣＳを選択する。
【０１６９】
このように、本実施の形態によれば、基地局装置は、移動局装置によって選択されたＭＣＳ、基地局装置における受信品質と目標受信品質との差、およびＭＣＳ選択のためのテーブルにおける予想受信品質の境界値と実際の予想受信品質との差分から新たなＭＣＳを選択するため、基地局装置において測定された受信品質と目標受信品質とが大きくずれている場合でも、移動局装置から基地局装置へ向かう上り回線の通信において伝搬路の状態に応じた最適なＭＣＳを選択することができる。
【０１７０】
（実施の形態１０）
本発明の実施の形態１０の特徴は、オープンループ型の送信電力制御を行う移動局装置を有する無線通信システムにおいて、基地局装置が予想受信品質を補正した上でＭＣＳを選択する点である。
【０１７１】
図１７は、実施の形態１０に係る基地局装置７００ｂの構成を示すブロック図である。同図に示す基地局装置７００ｂは、図１４に示す基地局装置７００のＭＣＳ補正部７０４に代えて、受信品質補正部７０８およびＭＣＳ選択部５１８を有している。それ以外の構成については、図１４に示す基地局装置７００と同様であり、その説明を省略する。
【０１７２】
受信品質補正部７０８は、ＳＩＲ測定部７０２によって測定されたＳＩＲと目標受信品質との差を受信品質補正値として算出し、移動局装置から送信された予想品質情報とともに、ＭＣＳ選択部５１８へ出力する。ＭＣＳ選択部５１８は、受信品質補正値と予想受信品質とに基づいてＭＣＳを定めるテーブルから、算出された受信品質補正値および移動局装置から送信された予想受信品質に対応するＭＣＳを選択し、選択したＭＣＳを報知するためのＭＣＳ報知信号を出力する。
【０１７３】
本実施の形態に係る移動局装置は、実施の形態７に係る移動局装置６００ａ（図１３）と同様の構成を有しており、その説明を省略する。
【０１７４】
次いで、上記のように構成された基地局装置７００ｂと移動局装置６００ａとの通信動作について説明する。なお、ここでは、移動局装置６００ａが、基地局装置７００ｂから送信された際の送信電力が既知である既知信号を含む信号を受信してからの動作について説明する。
【０１７５】
基地局装置７００ｂから送信された既知信号を含む信号が受信されてから、予想受信品質情報およびデータ信号を含む信号が移動局装置６００ａから送信されるまでの動作は、実施の形態７と同様であり、説明を省略する。
【０１７６】
予想受信品質情報およびデータ信号を含む信号は、基地局装置７００ｂのアンテナを介して、無線受信部５０２に受信され、所定の無線処理（ダウンコンバート、Ａ／Ｄ変換など）が行われる。受信信号は、ＳＩＲ測定部７０２および分離部５０４へ出力され、ＳＩＲ測定部７０２によって、ＳＩＲが測定され、ＳＩＲは、受信品質補正部７０８へ出力される。
【０１７７】
また、受信信号は、分離部５０４によって、予想受信品質情報とデータ信号とに分離され、予想受信品質情報は、復調部５０６によって復調され、受信品質補正部７０８へ出力される。そして、受信品質補正部７０８によって、測定されたＳＩＲと目標受信品質との差である受信品質補正値が算出され、算出された受信品質補正値と予想受信品質とがＭＣＳ選択部５１８へ出力される。そして、ＭＣＳ選択部５１８によって、あらかじめ保持されたＭＣＳ選択のためのテーブルから、算出された受信品質補正値と移動局装置６００ａから送信された予想受信品質とに対応するＭＣＳが選択され、選択されたＭＣＳを移動局装置６００ａへ報知するためのＭＣＳ報知信号が多重部５１２へ出力される。
【０１７８】
そして、多重部５１２によって、ＭＣＳ報知信号および送信データが多重され、多重信号は、変調部５１４によって変調され、無線送信部５１６によって、所定の無線処理（Ｄ／Ａ変換、アップコンバートなど）が行われ、送信電力が既知である既知信号とともにアンテナを介して送信される。
【０１７９】
基地局装置７００ｂにおける送信電力が既知である既知信号、ＭＣＳ報知信号、およびデータを含む信号は、移動局装置６００ａのアンテナを介して無線受信部６０２によって受信され、所定の無線処理（ダウンコンバート、Ａ／Ｄ変換など）が行われる。そして、受信信号は、復調部６０４によって復調され、分離部６０６によって、基地局装置７００ｂにおける送信電力が既知である既知信号、ＭＣＳ報知信号、および受信データに分離され、既知信号は、パスロス測定部６０８へ出力され、ＭＣＳ報知信号は、符号化部６２０および変調部６２２へ出力される。
【０１８０】
以下、上記の動作を繰り返して、送信可能電力から基地局装置７００ｂにおける予想受信品質を推定し、ＭＣＳを選択する。
【０１８１】
このように、本実施の形態によれば、基地局装置は、移動局装置によって推定された自装置における予想受信品質および自装置における受信品質と目標受信品質との差からＭＣＳを選択するため、基地局装置において測定された受信品質と目標受信品質とが大きくずれている場合でも、移動局装置から基地局装置へ向かう上り回線の通信において伝搬路の状態に応じた最適なＭＣＳを選択することができる。
【０１８２】
【発明の効果】
以上説明したように、本発明によれば、上り回線の通信において伝搬路の状態に応じた最適なＭＣＳを選択することができる。
【図面の簡単な説明】
【図１】本発明の実施の形態１に係る基地局装置の構成を示すブロック図
【図２】実施の形態１に係る移動局装置の構成を示すブロック図
【図３】実施の形態１に係るＭＣＳ選択の動作を説明する図
【図４】本発明の実施の形態２に係る基地局装置の構成を示すブロック図
【図５】実施の形態２に係る移動局装置の構成を示すブロック図
【図６】本発明の実施の形態３に係る基地局装置の構成を示すブロック図
【図７】本発明の実施の形態４に係る基地局装置の構成を示すブロック図
【図８】実施の形態４に係る移動局装置の構成を示すブロック図
【図９】本発明の実施の形態５に係る基地局装置の構成を示すブロック図
【図１０】本発明の実施の形態６に係る基地局装置の構成を示すブロック図
【図１１】実施の形態６に係る移動局装置の構成を示すブロック図
【図１２】本発明の実施の形態７に係る基地局装置の構成を示すブロック図
【図１３】実施の形態７に係る移動局装置の構成を示すブロック図
【図１４】本発明の実施の形態８に係る基地局装置の構成を示すブロック図
【図１５】本発明の実施の形態９に係る基地局装置の構成を示すブロック図
【図１６】実施の形態９に係る移動局装置の構成を示すブロック図
【図１７】本発明の実施の形態１０に係る基地局装置の構成を示すブロック図
【図１８】無線通信における伝搬路状態の変化を示す図
【図１９】移動局装置における送信電力制御の一例を示す図
【図２０】基地局装置における受信電力の一例を示す図
【符号の説明】
１０４、７０２  ＳＩＲ測定部
１０６  ＴＰＣコマンド生成部
１２２、２１２、５１８、６１４  ＭＣＳ選択部
２０８、６１０  送信電力制御部
２１０、６１２  受信品質推定部
３０２、３０６、７０４  ＭＣＳ補正部
３０４、７０６  分離部
３０８、７０８  受信品質補正部
４０２、８０２  多重部
６０８  パスロス測定部
【図１】
0004009133.tif 000002
【図２】
0004009133.tif 000003
【図３】
0004009133.tif 000004
【図４】
0004009133.tif 000005
【図５】
0004009133.tif 000006
【図６】
0004009133.tif 000007
【図７】
0004009133.tif 000008
【図８】
0004009133.tif 000009
【図９】
0004009133.tif 000010
【図１０】
0004009133.tif 000011
【図１１】
0004009133.tif 000012
【図１２】
0004009133.tif 000013
【図１３】
0004009133.tif 000014
【図１４】
0004009133.tif 000015
【図１５】
0004009133.tif 000016
【図１６】
0004009133.tif 000017
【図１７】
0004009133.tif 000018
【図１８】
0004009133.tif 000019
【図１９】
0004009133.tif 000020
【図２０】
0004009133.tif 000021